(57)【要約】【課題】製版用２値画像データを用いてカラープリンタから校正刷りを出力する。【解決手段】スクリーン条件判定手段２１が、入力２値画像データと該入力２値画像データの生成時に施されたスクリーン処理の処理条件とを取得し、該入力２値画像データに基づく画像を画像出力部２０２が出力可能か否かを該処理条件を用いて判定する。出力可能でない場合には、多値変換手段２３が該入力２値画像データを多値化して多値画像データを生成し、色変換手段２４が前記多値画像データの色変換を行う。２値変換手段２５が、色変換された多値画像データに画像出力部２０２が出力可能な処理条件に従ってスクリーン処理を施し、出力２値画像データを生成する。前記入力２値画像データに基づく画像を画像出力部２０２が出力可能な場合に、２値画像トーン補正手段２６が、該入力２値画像データに２値画像トーン補正を施して出力２値画像データを生成する。【選択図】      図２
2005033337.tif 000002
【特許請求の範囲】
【請求項１】
入力２値画像データに基づいて画像を出力する画像出力部と、
入力２値画像データと該入力２値画像データの生成時に施されたスクリーン処理の処理条件とを取得し、該入力２値画像データに基づく画像を前記画像出力部が出力可能か否かを該処理条件を用いて判定するスクリーン条件判定手段と、
前記入力２値画像データに基づく画像を前記画像出力部が出力可能でない場合に該入力２値画像データを多値化して多値画像データを生成する多値変換手段と、
前記多値画像データの色変換を行う色変換手段と、
前記色変換手段により色変換された多値画像データに前記画像出力部が出力可能な処理条件に従ってスクリーン処理を施し、スクリーン処理された多値画像データを２値化して出力２値画像データを生成する２値変換手段と、
前記入力２値画像データに基づく画像を前記画像出力部が出力可能な場合に該入力２値画像データに２値画像トーン補正を施して出力２値画像データを生成する２値画像トーン補正手段と
を備えることを特徴とするカラー画像出力装置。
【請求項２】
前記入力２値画像データの解像度を示す解像度情報を取得し、該解像度を有する画像を前記画像出力部が出力可能か否かを判定する解像度判定手段と、
多値画像データの解像度を変換する解像度変換手段と
を備え、
前記多値変換手段は、前記解像度を有する画像を前記画像出力部が出力可能でない場合に前記２値画像データを多値化して多値画像データを生成する
ことを特徴とする請求項１に記載のカラー画像出力装置。
【請求項３】
前記入力２値画像データをフーリエ変換することにより該入力２値画像データの表す画像の空間周波数特性を求め、該空間周波数特性を用いて該入力２値画像データの生成時に施されたスクリーン処理の処理条件を求めるスクリーン条件解析手段を備え、
前記スクリーン条件判定手段は、前記スクリーン処理条件が前記２値画像データに内包されている場合には該スクリーン処理条件を取得する一方、前記スクリーン処理条件が前記２値画像データに内包されていない場合には前記スクリーン条件解析手段により前記スクリーン処理条件を求める
ことを特徴とする請求項１乃至２に記載のカラー画像出力装置。
【請求項４】
コンピュータ装置に、
入力２値画像データと該入力２値画像データの生成時に施されたスクリーン処理の処理条件とを取得し、該入力２値画像データに基づく画像を前記画像出力部が出力可能か否かを該処理条件を用いて判定するスクリーン条件判定ステップと、
前記入力２値画像データに基づく画像を前記画像出力部が出力可能でない場合に該入力２値画像データを多値化して多値画像データを生成する多値変換ステップと、
前記多値画像データの色変換を行う色変換ステップと、
前記色変換手段により色変換された多値画像データに前記画像出力部が出力可能な処理条件に従ってスクリーン処理を施し、スクリーン処理された多値画像データを２値化して出力２値画像データを生成する２値変換ステップと、
前記入力２値画像データに基づく画像を前記画像出力部が出力可能な場合に該入力２値画像データに２値画像トーン補正を施して出力２値画像データを生成する２値画像トーン補正ステップと
を実行させるためのプログラム。
【発明の詳細な説明】
【０００１】
【発明の属する技術分野】
本発明は、ある画像出力装置向けに作成された画像データを出力特性の異なる別の画像出力装置に出力する技術に関する。
【０００２】
【従来の技術】
従来、印刷の色校正の方法としては、製版用に作製されたフィルムを用いる方法が主流であった。しかし、デジタル製版機を用いて画像データから直接製版を行うＣＴＰ（Ｃｏｍｐｕｔｅｒ  ｔｏ  Ｐｌａｔｅ）の普及に伴い、製版用２値画像データを用いて校正刷りを出力して色校正に使用したいという要望が高まった。この要望に応える技術として、ＤＤＣＰ（Ｄｉｒｅｃｔ  Ｄｉｇｉｔａｌ  Ｃｏｌｏｒ  Ｐｒｏｏｆ）があるが、高価な専用機を使用するため、ユーザの経済的負担が重くなるという問題がある。
【０００３】
これに対して、ユーザが既に保有しているカラープリンタに製版用２値画像データを入力して校正刷りを出力できれば便利である。しかしながら、一般にカラープリンタは、本印刷で使用する印刷機と色の出力特性が異なるため、色校正には適さないとされている。この問題を解決するために、カラープリンタによる出力画像の色調を本印刷の印刷物の色調に一致させるように、カラープリンタに与える画像データを調整する色補正が行われる。具体的には、まず、カラープリンタに測色用パッチの画像データを入力して、測色用パッチの画像を出力させる。次に、分光測光器を用いて、カラープリンタから出力された測色用パッチの側色値を求める。この側色値と印刷機で印刷した測色用パッチの側色値とを比較し、カラープリンタに与えられる画像データに施すべき色変換に使用する色変換用処理係数を求める。この色変換用処理係数を用いて画像データの色変換を行い、色変換後の画像データをカラープリンタに与えることにより、印刷機で印刷したのと同様の色調を持った画像がカラープリンタから出力される。このようにして、カラープリンタで出力した校正刷りを用いた色校正が可能となる。
【０００４】
２値画像データの色補正に関しては、種々の技術が提案されている。特許文献１に記載の技術では、２値画像データを多値化し、色補正等の画像処理を行った後、誤差拡散を施して２値画像データを出力することによって、２値画像データに対する色補正の実現を図っている。特許文献２に記載の技術では、２値画像データを多値化し、当該多値画像データに対する色補正値を求める。そして、多値化する前の網点情報を有する画像データに当該色補正値を加算して色補正を行った後、誤差拡散を施して２値画像データを出力する。これによって、網点情報を残したままの色補正の実現を図っている。
【０００５】
【特許文献１】
特許第２８７７３５６号公報
【特許文献２】
特開２００１−１４４９７９号公報
【０００６】
【発明が解決しようとする課題】
ところで、上記の従来技術において、製版用２値画像データの生成の際に施されるスクリーン処理の処理条件如何によっては、カラープリンタがその製版用２値画像データを受け取ったとしても、それを画像として出力することができない場合もある。例えば、一般にカラープリンタで自然画増を好適に再現できるスクリーン線数は２００ｌｐｉ（ｌｉｎｅ  ｐｅｒ  ｉｎｃｈ）以下であり、製版用２値画像データがこれを超えるスクリーン線数で生成されている場合にカラープリンタはそれを画像として好適に再現することができない。
【０００７】
本発明は上述した事情に鑑みてなされたものであり、その目的は、カラープリンタが対応していない条件でスクリーン処理が施された製版用２値画像データがそのカラープリンタに与えられた場合であっても、カラープリンタによる校正刷りの出力を可能にすることにある。
【０００８】
【課題を解決するための手段】
上述の課題を解決するために、本発明は、入力２値画像データに基づいて画像を出力する画像出力部と、入力２値画像データと該入力２値画像データの生成時に施されたスクリーン処理の処理条件とを取得し、該入力２値画像データに基づく画像を前記画像出力部が出力可能か否かを該処理条件を用いて判定するスクリーン条件判定手段と、前記入力２値画像データに基づく画像を前記画像出力部が出力可能でない場合に該入力２値画像データを多値化して多値画像データを生成する多値変換手段と、前記多値画像データの色変換を行う色変換手段と、前記色変換手段により色変換された多値画像データに前記画像出力部が出力可能な処理条件に従ってスクリーン処理を施し、スクリーン処理された多値画像データを２値化して出力２値画像データを生成する２値変換手段と、前記入力２値画像データに基づく画像を前記画像出力部が出力可能な場合に該入力２値画像データに２値画像トーン補正を施して出力２値画像データを生成する２値画像トーン補正手段とを備えることを特徴とするカラー画像出力装置を提供する。
【０００９】
また、本発明は、コンピュータ装置に、入力２値画像データと該入力２値画像データの生成時に施されたスクリーン処理の処理条件とを取得し、該入力２値画像データに基づく画像を前記画像出力部が出力可能か否かを該処理条件を用いて判定するスクリーン条件判定ステップと、前記入力２値画像データに基づく画像を前記画像出力部が出力可能でない場合に該入力２値画像データを多値化して多値画像データを生成する多値変換ステップと、前記多値画像データの色変換を行う色変換ステップと、前記色変換手段により色変換された多値画像データに前記画像出力部が出力可能な処理条件に従ってスクリーン処理を施し、スクリーン処理された多値画像データを２値化して出力２値画像データを生成する２値変換ステップと、前記入力２値画像データに基づく画像を前記画像出力部が出力可能な場合に該入力２値画像データに２値画像トーン補正を施して出力２値画像データを生成する２値画像トーン補正ステップとを実行させるためのプログラムを提供する。
【００１０】
本発明によれば、スクリーン条件判定手段が、入力２値画像データと該入力２値画像データの生成時に施されたスクリーン処理の処理条件とを取得し、該入力２値画像データに基づく画像を前記画像出力部が出力可能か否かを該処理条件を用いて判定する。多値変換手段が、前記入力２値画像データに基づく画像を前記画像出力部が出力可能でない場合に該入力２値画像データを多値化して多値画像データを生成する。色変換手段が、前記多値画像データの色変換を行う。２値変換手段が、前記色変換手段により色変換された多値画像データに前記画像出力部が出力可能な処理条件に従ってスクリーン処理を施し、スクリーン処理された多値画像データを２値化して出力２値画像データを生成する。２値画像トーン補正手段が、前記入力２値画像データに基づく画像を前記画像出力部が出力可能な場合に該入力２値画像データに２値画像トーン補正を施して出力２値画像データを生成する。
【００１１】
【発明の実施の形態】
以下、図面を参照して、本発明の実施の形態について説明する。
（１．第１実施形態）
（１−１．構成）
図１は、本発明の第１実施形態にかかる構成を示す図である。図１に示す構成では、クライアント装置１０、カラープリンタ２０、ＲＩＰサーバ４０および製版機５０がＬＡＮ（Ｌｏｃａｌ  Ａｒｅａ  Ｎｅｔｗｏｒｋ）２を介して接続されている。
【００１２】
クライアント装置１０は、通常のハードウェア構成を有するコンピュータであり、ＬＡＮ２経由で他の装置との間でデータの授受を行う。クライアント装置１０は、画像データのファイル名や処理条件等の入力を促す入力画面を表示し、オペレータは、キーボードおよびマウス（図示省略）を駆使してそれらのデータの入力を行うことができる。
【００１３】
ＲＩＰサーバ４０は、Ｐｏｓｔ  Ｓｃｒｉｐｔなどのページ記述言語で記述されたベクトルデータを取得し、ベクトルデータをラスタデータに変換し、スクリーン処理を施して製版用２値画像データを生成する。本実施形態におけるＲＩＰサーバ４０は、解像度２４００ｄｐｉ（ｄｏｔ  ｐｅｒ  ｉｎｃｈ）の製版用２値画像データを生成することができる。また、これ以外の解像度を選択することも可能である。このＲＩＰサーバ４０によって生成される製版用２値画像データは、例えばＴＩＦＦ（Ｔａｇｇｅｄ  Ｉｍａｇｅ  Ｆｉｌｅ  Ｆｏｒｍａｔ）形式の画像データであり、スクリーン処理条件および解像度情報が内包している。
【００１４】
カラープリンタ２０は、ＲＩＰサーバ４０により作成された製版用２値画像データを取得して校正刷りを出力するために用いられる。
本実施形態では、この校正刷りを用いて、ＲＩＰサーバ４０が出力する製版用２値画像データの校正が行われる。
製版機５０は、この校正済みの製版用２値画像データをＲＩＰサーバ４０から受け取り、これに基づいて、直接、版材に露光して刷版を作製するデジタル製版機である。
印刷機６０は、製版機５０により作製された刷版を用いて、多色刷りの印刷を行う。
【００１５】
次にカラープリンタ２０の構成について説明する。図１に示すように、カラープリンタ２０は、コントローラ２０１と画像出力部２０２から構成されている。ここで、画像出力部２０２はコントローラ２０１による制御を受けて画像出力を行う電子写真方式の画像出力装置である。この画像出力部２０２は、ＲＩＰサーバ４０と同じ解像度（ここでは、２４００ｄｐｉ）の画像を出力することができる。コントローラ２０１の構成を図２に示す。
ＣＰＵ（Ｃｅｎｔｒａｌ  Ｐｒｏｃｅｓｓｉｎｇ  Ｕｎｉｔ）３０は、ＲＯＭ（Ｒｅａｄ  Ｏｎｌｙ  Ｍｅｍｏｒｙ）３１に記憶されているプログラムを実行することにより、画像出力部２０２により校正刷りを生成するための制御を行う。ＲＡＭ（Ｒａｎｄｏｍ  Ａｃｃｅｓｓ  Ｍｅｍｏｒｙ）３２は、その際のワークエリアとして使用される。
送受信部３３は、ＣＰＵ３０による制御の下、ＬＡＮ２に接続された他の装置との間でデータの送受信を行う。
記憶手段３４は、ハードディスクドライブ等の大容量記憶装置である。
スクリーン条件判定手段２１、スクリーン条件解析手段２２、多値変換手段２３、色変換手段２４、２値変換手段２５および２値画像トーン補正手段２６は、校正刷りを生成するためにＣＰＵ３０によって実行されるソフトウェアモジュールである。以下、これらの機能について説明する。
【００１６】
スクリーン条件判定手段２１は、製版用２値画像データに内包されているスクリーン処理条件を取得し、この製版用２値画像データが画像出力部２０２で出力可能か否かをスクリーン処理条件を用いて判定するモジュールである。
【００１７】
スクリーン条件解析手段２２は、製版用２値画像データに対してフーリエ変換を行い、この結果得られる製版用２値画像データの空間周波数特性に基づいて、製版用２値データに施されたスクリーン処理の条件であるスクリーンタイプ、スクリーン線数、スクリーン角度を取得するモジュールである。
【００１８】
多値変換手段２３は、製版用２値画像データを、網点構造が除去された中間調を有する画像を示す多値画像データに変換するモジュールである。この製版用２値画像データを多値画像データに変換する方法は例えば特許文献１に開示されている。
【００１９】
色変換手段２４は、色変換係数を用いて、カラープリンタ２０による出力画像の色調を印刷機６０による印刷物の色調と一致させるための色変換を多値画像データに施すモジュールである。ここで、色変換係数は、印刷機６０の出力特性に対するカラープリンタ２０の出力特性の差異に基づいて予め求められ、記憶手段３４に格納されている。色変換係数は、例えば特開２００２−１５２５４３号公報に開示されている方法を用いて作成することができる。
【００２０】
２値変換手段２５は、多値画像データにスクリーン処理を施して網点情報を有する画像データに変換し、さらに２値画像データに変換するモジュールである。
【００２１】
２値画像トーン補正手段２６は、スクリーン処理条件の変更が必要ない場合に、製版用２値画像データに対して、予め作成されたトーン補正値を用いてトーン補正を行うためのモジュールである。ここで、トーン補正値は、これを用いてトーン補正を行った場合にカラープリンタ２０から得られる出力画像が印刷機６０による印刷物の色を再現するような値になっている。
なお、以上のモジュールをハードウェアによって構成し、ＣＰＵ３０がこれらのモジュールの制御を行うことにより、校正刷り出力のための処理を進めるようにしてもよい。
【００２２】
（１−２．動作）
上記の構成によって実現される動作について説明する。ここでは、ＲＩＰサーバ４０により製版用２値画像データＤ１が作成済みであり、ＲＩＰサーバ４０に記憶されているものとする。また、本実施形態においては、カラープリンタ２０は、ＦＭ（Ｆｒｅｑｕｅｎｃｙ  Ｍｏｄｕｌａｔｉｏｎ）スクリーン処理、および２００ｌｐｉ（ｌｉｎｅ  ｐｅｒ  ｉｎｃｈ）を越える高線数のＡＭ（Ａｍｐｌｉｔｕｄｅ  Ｍｏｄｕｌａｔｉｏｎ）スクリーン処理には対応していないものとする。
【００２３】
最初に、オペレータが、クライアント装置１０に、校正刷りを得ようとする製版用２値画像データＤ１のファイル名を入力すると、このファイル名がクライアント装置１０からＲＩＰサーバ４０へ供給される。ＲＩＰサーバ４０は、ファイル名によって特定される製版用２値画像データＤ１の出力指示をカラープリンタ２０に送信する。
【００２４】
カラープリンタ２０のＣＰＵ３０は、送受信部３３を介してＲＩＰサーバ４０からの出力指示を受け取ると、図３にフローを示すプログラムを実行する。
まず、ＣＰＵ３０は、ＲＩＰサーバ４０から製版用２値画像データＤ１を受信し（ステップＳ０１）、スクリーン条件判定手段２１に引き渡す。スクリーン条件判定手段２１は、製版用２値画像データＤ１にスクリーン処理条件が内包されているか否かを判定し（ステップＳ０２）、内包されている場合には当該スクリーン処理条件を取得する（ステップＳ０３）。一方、スクリーン処理条件が内包されていない場合には、ＣＰＵ３０は、製版用２値画像データＤ１をスクリーン条件解析手段２２に引き渡す。そして、スクリーン条件解析手段２２は、フーリエ変換によって製版用２値画像データＤ１の空間周波数特性を求め、この空間周波数特性に基づいて、製版用２値画像データＤ１に施されているスクリーン処理の条件を取得する（ステップＳ０４）。
【００２５】
次にＣＰＵ３０は、取得されたスクリーン処理条件に関する判定を行う。まず、ＣＰＵ３０は、スクリーンタイプを判定する（ステップＳ０５）。そして、スクリーンタイプがＡＭスクリーンである場合、ＣＰＵ３０は、スクリーン線数を判定する（ステップＳ０６）。ここで、スクリーン線数が２００ｌｐｉ以下である場合には、製版用２値画像データＤ１は画像出力部２０２で出力可能であるから、スクリーン条件を変更することなく、トーン補正のみ行えばよい。従って、この場合には、ＣＰＵ３０は、製版用２値画像データＤ１を２値画像トーン補正手段２６に引き渡す。２値画像トーン補正手段２６は、予め記憶されているトーン補正係数を用いて、製版用２値画像データのトーン補正を行い、プリンタ用２値画像データＤ２を生成する（ステップＳ０７）。
【００２６】
一方、ステップＳ０５において、スクリーンタイプがＦＭスクリーンである場合には、スクリーン処理条件の変更が必要であるから、ＣＰＵ３０は、製版用２値画像データＤ１を多値変換手段２３へ引き渡す。また、ステップＳ０５においてスクリーンタイプがＡＭであり、かつ、ステップＳ０６においてスクリーン線数が２００ｌｐｉを超える場合にも、ＣＰＵ３０は、製版用２値画像データＤ１を多値変換手段２３へ引き渡す。
多値変換手段２３では、製版用２値画像データＤ１を多値化し、多値画像データＤ３を生成する（ステップＳ０８）。
【００２７】
次に、ＣＰＵ３０は、この多値画像データＤ３を色変換手段２４へ引き渡す。色変換手段２４は、予め記憶されている色変換係数を用いて多値画像データＤ３の色変換を行い、多値画像データＤ４を生成する（ステップＳ０９）。
【００２８】
ＣＰＵ３０は、色変換手段２４からこの多値画像データＤ４を受け取り、２値変換手段２５へ引き渡す。２値変換手段２５では、画像出力部２０２により出力可能で、かつ、製版用２値画像データＤ１に施されたスクリーン処理の条件に最も近い条件で、多値画像データＤ４にスクリーン処理を施し、プリンタ用２値画像データＤ５を生成する（ステップＳ１０）。この動作例において、画像出力部２０２は、スクリーンタイプがＡＭスクリーン、スクリーン線数が２００ｌｐｉ以下、スクリーン角度は任意の角度、という範囲の条件でスクリーン処理の施された２値画像データであれば出力可能である。従って、２値変換手段２５は、この範囲内において製版用２値画像データＤ１に施されたスクリーン処理の条件に最も近いものを選択し、選択した条件に従って、多値画像データＤ４のスクリーン処理を行うのである。
【００２９】
ＣＰＵ３０は、２値画像トーン補正手段２６によりプリンタ用２値画像データＤ２が生成され（ステップＳ０７）、あるいは２値変換手段２５によりプリンタ用２値画像データＤ５が生成されると（ステップＳ１０）、生成されたプリンタ用２値画像データＤ２またはＤ５を画像出力部２０２に引き渡す。画像出力部２０２では、このプリンタ用２値画像データＤ２またはＤ５に基づいて校正刷りが出力される。
【００３０】
本実施形態によれば、製版用２値画像データＤ１に施されたスクリーン処理の条件が画像出力部２０２で出力可能でない条件である場合でも、製版用２値画像データＤ１をカラープリンタ２０に入力して、印刷機６０による印刷物に近いスクリーン処理条件で画像を出力することが可能となる。
【００３１】
また、製版用２値画像データＤ１の空間周波数特性を解析してスクリーン処理条件を取得することにより、スクリーン処理条件が画像データに内包されていない場合でも、スクリーン処理条件を判定することができる。
【００３２】
（２．第２実施形態）
（２−１．構成）
図４は、本発明の第２実施形態にかかる構成を示す図である。第１実施形態と共通の構成要素については、同一の符号を付している。第１実施形態にかかる構成と異なる点は以下のとおりである。
図４に示すように、カラープリンタ２０ａは、コントローラ２０１ａと画像出力部２０２ａから構成されている。図５に示すように、コントローラ２０１ａは、解像度判定手段２７と解像度変換手段２８を備えている。解像度判定手段２７は、製版用２値画像データの解像度情報を取得し、取得した解像度情報が表す解像度の画像をカラープリンタ２０ａが出力可能か否かを判定するモジュールである。解像度変換手段２８は、画像データを異なる解像度の画像データに変換するモジュールである。
【００３３】
画像出力部２０２ａが出力可能な画像の解像度は、ＲＩＰサーバ４０が製版用２値画像データＤ１を生成した際の解像度（２４００ｂｐｉ）よりも低い解像度（例えば、６００ｂｐｉ）であるものとする。また、画像出力部２０２ａは、６００ｂｐｉ以下で出力解像度を選択可能であってもよい。
【００３４】
（２−２．動作）
上記の構成によって実現される動作について説明する。第１実施形態と同様に、ＲＩＰサーバ４０により製版用２値画像データＤ１が作成済みであり、ＲＩＰサーバ４０に記憶されているものとする。また、本実施形態においても、カラープリンタ２０ａは、ＦＭスクリーン処理、および２００ｌｐｉ（ｌｉｎｅ  ｐｅｒ  ｉｎｃｈ）を越える高線数のＡＭスクリーン処理には対応していないものとする。
【００３５】
最初にオペレータは、クライアント装置１０に対し、校正刷りを得ようとする製版用２値画像データＤ１のファイル名を入力する。入力されたファイル名はＲＩＰサーバ４０に供給される。ＲＩＰサーバ４０は、ファイル名によって特定される製版用２値画像データＤ１の出力指示をカラープリンタ２０ａに送信する。
【００３６】
カラープリンタ２０ａのＣＰＵ３０は、送受信部３３を介してＲＩＰサーバ４０からの出力指示を受け取ると、図６にフローを示すプログラムを実行する。
まず、ＣＰＵ３０は、ＲＩＰサーバ４０から製版用２値画像データＤ１および解像度情報を受信し（ステップＳ２１）、解像度判定手段２７に引き渡す。解像度判定手段２７では、製版用２値画像データＤ１に解像度情報が内包されているか否かを判定し（ステップＳ２２）内包されている場合には当該解像度情報を取得する（ステップＳ２３）。一方、解像度情報が内包されていない場合には、ＣＰＵ３０は、製版用２値画像データＤ１の解像度情報の入力を要求する要求メッセージをクライアント装置１０に送信する。クライアント装置１０は、この要求メッセージを受信すると、オペレータに解像度情報の入力を促す画面を表示する。オペレータは、製版用２値画像データＤ１の解像度情報をクライアント装置１０に入力し、カラープリンタ２０ａに送信する。カラープリンタ２０ａが解像度情報を受信すると、ＣＰＵ３０は、この解像度情報を解像度判定手段２７に引き渡す（ステップＳ２４）。
【００３７】
次に、ＣＰＵ３０は、製版用２値画像データＤ１をスクリーン条件判定手段２１に引き渡す。スクリーン条件判定手段２１は、製版用２値画像データＤ１にスクリーン処理条件が内包されているか否かを判定し（ステップＳ２５）、内包されている場合には当該スクリーン処理条件を取得する（ステップＳ２６）。一方、スクリーン処理条件が内包されていない場合には、ＣＰＵ３０は、製版用２値画像データＤ１をスクリーン条件解析手段２２に引き渡す。そして、スクリーン条件解析手段２２は、フーリエ変換によって製版用２値画像データＤ１の空間周波数特性を求め、この空間周波数特性に基づいて、製版用２値画像データに施されているスクリーン処理の条件を取得する（ステップＳ２７）。
【００３８】
次に、ＣＰＵ３０は、取得した解像度情報が表す製版用２値画像データＤ１の解像度とカラープリンタ２０ａの出力解像度とを比較し（ステップＳ２８）、両解像度が一致しているならば、ステップＳ２９へ進む。ステップＳ２９からＳ３１までの処理は、第１実施形態におけるステップＳ０５からＳ０７までの処理と同様であり、２値画像トーン補正手段２６により２値画像トーン補正が施されたプリンタ用２値画像データＤ２が生成される。一方、両者の解像度が異なる場合には、ステップＳ３２へ進む。
【００３９】
ステップＳ３２では、ＣＰＵ３０は、製版用２値画像データＤ１を多値変換手段２３に引き渡す。多値変換手段２３は、製版用２値画像データＤ１を多値化し、多値画像データＤ３を生成する。次に、ＣＰＵ３０は、多値画像データＤ３を解像度変換手段２８へ引き渡す。解像度変換手段２８は、画像出力部２０２ａで出力可能な範囲内で、多値画像データＤ３を、製版用２値画像データＤ１の解像度に最も近い解像度の多値画像データＤ６に変換する（ステップＳ３３）。この動作例において、画像出力部２０２ａは６００ｄｐｉ以下の解像度の２値画像データであれば出力可能である。従って、この範囲内において、解像度変換手段２８は、製版用２値画像データＤ１の解像度に最も近い解像度を選択し、多値画像データＤ３を選択した解像度の多値画像データＤ６に変換するのである。
【００４０】
ステップＳ３４では、ＣＰＵ３０は、多値画像データＤ６を色変換手段２４へ引き渡す。色変換手段２４は、予め記憶されている色変換係数を参照して、多値画像データＤ５の色変換を行い、多値画像データＤ７を生成する。
【００４１】
ステップＳ３５では、ＣＰＵ３０は、多値画像データＤ６を２値変換手段２５へ引き渡す。２値変換手段２５は、画像出力部２０２ａにより出力可能で、かつ、製版用２値画像データＤ１に施されたスクリーン処理の条件に最も近い条件で、多値画像データＤ６にスクリーン処理を施し、プリンタ用２値画像データＤ８を生成する。
【００４２】
ＣＰＵ３０は、２値画像トーン補正手段２６によりプリンタ用２値画像データＤ２が生成され（ステップＳ３１）、あるいは２値変換手段２５によりプリンタ用２値画像データＤ８が生成されると（ステップＳ３５）、生成されたプリンタ用２値画像データＤ２あるいはＤ８を画像出力部２０２ａに引き渡す。画像出力部２０２ａでは、このプリンタ用２値画像データＤ２あるいはＤ８に基づいて校正刷りが出力される。
【００４３】
本実施形態によれば、製版用２値画像データＤ１の解像度が画像出力部２０２ａで出力可能でない解像度である場合でも、製版用２値画像データＤ１をカラープリンタ２０ａに入力して、印刷機６０による印刷物に近い解像度で画像を出力することが可能となる。
【００４４】
（３．変形例）
以上説明した形態に限らず、本発明は種々の形態で実施可能である。例えば、上述の実施形態を以下のように変形した形態でも実施可能である。
【００４５】
上述したＣＰＵが実行するプログラムを外部のサーバに記憶させておき、インターネット等の通信網経由で外部のサーバからこのプログラムをダウンロードするように本発明を変形してもよい。また、プログラムを外部のサーバに記憶させておき、製版用２値画像データを当該サーバへ通信網経由で送信し、このサーバに上述のプログラムを実行させることによってプリンタ用２値画像データを生成するように本発明を変形してもよい。
【００４６】
ＡＭスクリーンの場合に、スクリーン線数およびスクリーン角度に加えて、網点形状も再現するように本発明を変形してもよい。
通常、製版用画像データの表す画像の周縁部には単色で網点面積率５０％の色パッチが出力されている。この色パッチから網点１つ分を切り出して、種々の網点形状のマスクと比較することによって網点形状が判別できる。上記の色パッチが存在しない場合には、画像中の網点面積率５０％程度の部位を探し出して判別すれことも可能である。
【００４７】
製版用２値画像データにスクリーン処理条件が内包されていない場合には、当該画像の解像度からスクリーン線数を推定するように本発明を変形してもよい。一般に、スクリーン線数Ｎｌｐｉの画像を出力するためには、２Ｎｂｐｉ以上の解像度が必要とされている。従って、当該画像の解像度が２Ｎｂｐｉであるならば、スクリーン線数は最大でもＮｌｐｉである。よって、この場合、スクリーン線数Ｎｌｐｉと仮定しておき、これに最も近いスクリーン線数によりプリンタ用２値画像データを作成すればよい。
【００４８】
カラープリンタは、電子写真方式以外の例えばインクジェット式カラープリンタを用いるように本発明を変形してもよい。
【００４９】
【発明の効果】
本発明によれば、製版用２値画像データを用いてカラープリンタから校正刷りを出力することができる。
【図面の簡単な説明】
【図１】本発明の第１実施形態にかかる構成を示す図である。
【図２】同実施形態にかかるコントローラ２０１の構成を示す図である。
【図３】同実施形態にかかるコントローラ２０１により実行される処理の流れを示すフロー図である。
【図４】本発明の第２実施形態にかかる構成を示す図である。
【図５】同実施形態にかかるコントローラ２０１ａの構成を示す図である。
【図６】同実施形態にかかるコントローラ２０１ａにより実行される処理の流れを示すフロー図である。
【符号の説明】
２…ＬＡＮ、１０…クライアント装置，２０…カラープリンタ、４０…ＲＩＰサーバ、５０…製版機、６０…印刷機、２０１…コントローラ、２０２…画像出力部、２１…スクリーン条件判定手段、２２…スクリーン条件解析手段、２３…多値変換手段、２４…色変換手段、２５…２値変換手段、２６…２値画像トーン補正手段、３０…ＣＰＵ、３１…ＲＯＭ、３２…ＲＡＭ、３３…送受信部、３４…記憶手段
【図１】
2005033337.tif 000003
【図２】
2005033337.tif 000004
【図３】
2005033337.tif 000005
【図４】
2005033337.tif 000006
【図５】
2005033337.tif 000007
【図６】
2005033337.tif 000008